(57)【要約】【課題】引き戸との隙間を隙間遮断部材で確実に塞ぐとともに、種々の設置条件に対応した隙間遮断部材の突出具合の調整を不要とした中方立てを提供する。【解決手段】複数のコイルバネ１３が、一端１３ａを縦溝１１ａ内の奥方部に固定し、他端１３ｂを隙間遮断部材１２の基部と連結するように配設され、コイルバネ１３によって隙間遮断部材１２を支持して、隙間遮断部材１２を引き戸６に常時弾接させるようにしている。【選択図】図１
2010270561.tif 000002
【特許請求の範囲】
【請求項１】
引き戸をスライド可能に保持する引き戸枠の中間部に立設され、引き戸側の端部に縦溝を形成して、該縦溝に隙間遮断部材を装着してなる中方立てにおいて、
複数の弾性支持具が、その一端を上記縦溝内の奥方部に固定し、他端を上記隙間遮断部材の基部と連結するように配設され、該弾性支持具によって上記隙間遮断部材を支持して、該隙間遮断部材を上記引き戸に常時弾接させるようにしたことを特徴とする中方立て。
【請求項２】
請求項１において、
上記隙間遮断部材の先端には軟質繊維材が付設されており、該軟質繊維材の先端を横断面山形に形成している中方立て。
【請求項３】
請求項１または２において、
上記弾性支持具はコイルバネで構成されるとともに、該コイルバネの伸縮動作をガイド支持するガイド部をさらに備え、該ガイド部と上記隙間遮断部材の基部との間にバネ移動代空間が形成されている中方立て。
【請求項４】
請求項３において、
上記ガイド部は、上記縦溝の底部に固定され、該縦溝の開口方向に突出した支持棒で構成され、上記コイルバネに内挿されて上記伸縮動作をガイド支持している中方立て。
【請求項５】
請求項３において、
上記ガイド部は、上記縦溝の底部に形成された支持凹所で構成され、上記コイルバネの一端を該支持凹所の底面部で固定して、該コイルバネを該支持凹所に収容させて、上記伸縮動作をガイド支持している中方立て。
【請求項６】
請求項５において、
上記隙間遮断部材の基部には、上記支持凹所の内周にスライド自在に嵌入されるバネガイド片が形成されている中方立て。
【発明の詳細な説明】
【技術分野】
【０００１】
本発明は、引き戸をスライド可能に保持する引き戸枠の中間部に立設され、引き戸側の側部に縦溝を形成して、その縦溝に隙間遮断部材を装着してなる中方立てに関する。
【背景技術】
【０００２】
一般に、建物の引き戸枠は、壁等に開設された引き戸用の開口の枠部として配設され、上下の横枠、左右の縦枠を備えるとともに、横方向の中間部で上下に配設される中方立てを備えている（例えば、特許文献１、２参照）。
【０００３】
これらの中方立ては、主たる構成部材である中方立て本体の引き戸側の側部に縦溝を備えて、その縦溝に隙間遮断部材を装着させた構造とされる。この隙間遮断部材は、中方立て本体と引き戸の戸板面との間にできる、引き戸の走行性を確保するための隙間を、走行性を落とすことなく、光の洩れや隙間風の侵入を防止するために塞ぐもので、少なくとも隙間遮断部材の引き戸側の側部には、縦溝の開口よりもわずかに突出した、例えばモヘアなどの軟質繊維材が備えられている。
【０００４】
この中方立て本体と引き戸面との間の隙間は、引き戸の厚さなど種々の設置条件により異なるもので、その設置条件に応じて、軟質繊維材の突出具合を、軟質繊維材の先端が引き戸の戸板面に接触する程度に調整する必要がある。
【０００５】
従来では、設置条件に応じて隙間遮断部材を最適な突出具合とするために、隙間遮断部材の突出具合を調整可能とした中方立ても種々提案されており、特許文献１のものではカム材で調整可能とし、特許文献２のものでは、隙間遮断部材を弾発付勢した状態でビス調整することで突出具合を調整可能としている。
【先行技術文献】
【特許文献】
【０００６】
【特許文献１】特開２００２−１３８７７１号公報
【特許文献２】特開平１０−３３９０７７号公報
【発明の概要】
【発明が解決しようとする課題】
【０００７】
しかしながら、これらの技術では、隙間遮断部材の突出具合を、隙間遮断部材が中方立て本体とほぼ同程度の高さがあることに対応して、上下方向の複数個所（例えば上中下の３箇所）に備えた調整具で調整する構造となっており、その複数個所の調整を施工現場でしなければならないため、現場では突出具合調整のために多大な時間を要する必要があった。また、手操作で、複数の調整具間で同等の調整を行わなければならないことも、時間を要する要因となっていた。
【０００８】
本発明は、このような事情を考慮して提案されたもので、その目的は、引き戸との隙間を隙間遮断部材で確実に塞ぐとともに、種々の設置条件に対応した隙間遮断部材の突出具合の調整を不要とした中方立てを提供することにある。
【課題を解決するための手段】
【０００９】
上記目的を達成するために、請求項１に記載の中方立ては、引き戸をスライド可能に保持する引き戸枠の中間部に立設され、引き戸側の端部に縦溝を形成して、該縦溝に隙間遮断部材を装着してなる中方立てにおいて、複数の弾性支持具が、その一端を縦溝内の奥方部に固定し、他端を隙間遮断部材の基部と連結するように配設され、該弾性支持具によって隙間遮断部材を支持して、該隙間遮断部材を引き戸に常時弾接させるようにしたことを特徴とする。
【００１０】
請求項２に記載の中方立てでは、隙間遮断部材の先端には軟質繊維材が付設されており、該軟質繊維材の先端を横断面山形に形成している。
【００１１】
請求項３に記載の中方立ては、弾性支持具がコイルバネで構成されるとともに、該コイルバネの伸縮動作をガイド支持するガイド部をさらに備え、該ガイド部と隙間遮断部材の基部との間にバネ移動代空間が形成されている。
【００１２】
請求項４に記載の中方立てでは、ガイド部が縦溝の底部に固定され、縦溝の開口方向に突出した支持棒で構成され、コイルバネに内挿されて伸縮動作をガイド支持している。
【００１３】
請求項５に記載の中方立てでは、ガイド部が縦溝の底部に形成された支持凹所で構成され、コイルバネの一端を該支持凹所の底面部で固定して、コイルバネを支持凹所に収容させて、伸縮動作をガイド支持している。
【００１４】
請求項６に記載の中方立てでは、隙間遮断部材の基部に、支持凹所の内周にスライド自在に嵌入されるバネガイド片が形成されている。
【発明の効果】
【００１５】
請求項１に記載の中方立てによれば、隙間遮断部材が、縦溝内の奥方部に一端を固定した複数の弾性支持具によって支持されて、引き戸に対して常時弾接される構成となっているため、中方立てと引き戸との隙間を確実に塞ぐことができる。また、隙間遮断部材は、弾性支持具の弾性力によって突出して引き戸との間の隙間を埋め合わせするので、従来のような手操作による隙間遮断部材の突出具合の現場での調整は不要となる。よって、現場作業の手間を大幅に削減できる。さらに、中方立てに操作可能な調整具を組み込む必要がないので、中方立ての製造コストも削減できる。
【００１６】
請求項２に記載の中方立てによれば、隙間遮断部材の先端に付設された軟質繊維材の先端が横断面山形に形成されているので、引き戸との接触面積を小さくすることができ、それによって軟質繊維材と引き戸の戸板面との摩擦抵抗を小さくでき、引き戸の走行性をよくできる。また、先端が横断面山形であるため、引き戸に接触する２つの走行ガイド面が形成され、走行の向きが変わるごとに走行ガイド面が入れ替わる。つまり、走行の向きごとに一方面ずつしか使用されないため、軟質繊維材の劣化を遅らすことができる。
【００１７】
請求項３に記載の中方立てによれば、弾性支持具はコイルバネで構成されるとともに、コイルバネの伸縮動作をガイド支持するガイド部をさらに備えているので、コイルバネが垂れ下がることなく水平動作をガイドできて、隙間遮断部材を支持することができる。もちろん、ガイド部と隙間遮断部材の基部との間にバネ移動代空間が形成されているので、ガイド部によって隙間遮断部材の動作がじゃまされることなく、コイルバネの伸張、伸縮による前後移動が確実に行える。
【００１８】
請求項４に記載の中方立てによれば、ガイド部が縦溝の底部に固定され、縦溝の開口方向に突出した支持棒で構成され、その支持棒がコイルバネに内挿されて伸縮動作をガイド支持する構成となっているため、簡易な構成でコイルバネに適切な水平動作をさせることができる。
【００１９】
請求項５に記載の中方立てによれば、ガイド部が縦溝の底面部に形成された支持凹所で構成され、コイルバネの一端を支持凹所の底面部で固定して、コイルバネを支持凹所に収容させて伸縮動作をガイド支持する構成となっている。このように縦溝の底部から横方向に掘り込んだ支持凹所でコイルバネを支持しているので、コイルバネに適切で安定した水平動作をさせることができる。
【００２０】
請求項６に記載の中方立てによれば、支持凹所でコイルバネを支持する場合に、隙間遮断部材の基部に支持凹所の内周にスライド自在に嵌入されるバネガイド片が形成されているので、支持凹所から突出したコイルバネの先端部を支持でき、その結果、コイルバネは支持凹所とバネガイド片によって全長にわたって支持され、そのため、コイルバネが伸張する際にも、コイルバネの先端部の垂れ下がりが発生するおそれはない。
【図面の簡単な説明】
【００２１】
【図１】本発明の中方立ての第１実施形態の説明図であり、（ａ）は同実施形態の中方立ての概略縦断面図、（ｂ）は同概略横断面図である。
【図２】引き戸を設置する前の状態における同中方立ての概略縦断面図である。
【図３】本発明の中方立ての第２実施形態の説明図で、同実施形態の中方立ての概略縦断面図である。
【図４】本発明の第３の実施形態として示した中方立ての説明図であり、（ａ）は同中方立ての概略部分縦断面図、（ｂ）は同概略部分横断面図である。
【図５】同中方立ての隙間遮断部材の引き戸に対する接触状態を示した概略部分横断面図であり、（ａ）、（ｂ）には設置条件の異なる２例について示している。
【図６】本発明の中方立てを含む引き戸枠の斜視図である。
【図７】同引き戸枠を図６とは反対の方向から見た斜視図である。
【図８】同引き戸枠の概略横断面図である。
【発明を実施するための形態】
【００２２】
以下に、本発明の実施の形態について、添付図面を参照しながら説明する。なお、以下の複数の実施形態に示した各中方立てを含む引き戸枠は、実施形態間で共通した図面である図６〜図８に示しており、図６には引き戸枠の斜視図、図７には図６とは反対方向から見た斜視図、図８には同概略横断面図を示している。
【００２３】
図１および図２は、本発明の中方立ての第１実施形態の説明図であり、図１（ａ）は引き戸枠に引き戸を設置した後の状態における中方立ての概略縦断面図、図１（ｂ）は同概略横断面図、図２は引き戸枠に引き戸を設置する前の状態における同中方立ての概略縦断面図である。
【００２４】
引き戸枠１は、木質材や金属材等よりなり、壁等に開設された引き戸６用の開口の枠部として配設され、上下の横枠２、３、左右の縦枠を備えるとともに、横方向の中間部に立設される中方立て１０を備えている。なお以下では、左右の縦枠について、図１における左のものを幅狭縦枠４、右のものを幅広縦枠５という。
【００２５】
この引き戸枠１は、上横枠２と下横枠３の左右両端部をそれぞれ、幅狭縦枠４と幅広縦枠５で連結し、上横枠２と下横枠３のほぼ全長にわたって引き戸６が摺動（走行）可能に嵌合される走行溝（下横枠３の走行溝３ｂのみを図示）が形成されている。
【００２６】
上下横枠２、３は、幅狭縦枠４との連結端部から中央までを、幅狭縦枠４の幅に合わせて切り欠かれており、その切欠き２ａ、３ａのうちの、幅広部２ｂ、３ｂに隣接する位置に中方立て１０が配設されている。
【００２７】
なお、図８に示した概略横断面図における、符号７および８は引き戸枠１の近傍の中空壁を構成する柱および面材である。
【００２８】
このように引き戸枠１の中央に配される中方立て１０は、上記のように、引き戸６をスライド可能に保持する引き戸枠１の中間部に立設され、主たる構成部材である中方立て本体１１の引き戸６側の側部の中央に上下に走る縦溝１１ａを形成して、その縦溝１１ａに隙間遮断部材１２を装着してなる。
【００２９】
この隙間遮断部材１２は、基部を構成し、縦溝１１ａ内に配される本体１２ａと、この本体１２ａの引き戸６側の側部に付設されるモヘア等の軟質繊維材１２ｂとより構成されている。この軟質繊維材１２ｂは、引き戸６の設置前（図２参照）、設置後（図１参照）のいずれであっても、縦溝１１ａの開口よりも引き戸６側に突出している。この軟質繊維材１２ｂの先端は、後述する第３実施形態（図４参照）で詳述するように、横断面山形に形成されていることが望ましいが、それには限定されない。
【００３０】
そして、中方立て本体１１の縦溝１１ａには、上部、中部、下部の３箇所に、隙間遮断部材１２を弾性支持する弾性支持具として、一端１３ａを縦溝１１ａ内に固定したコイルバネ１３が配され、そのコイルバネ１３の他端１３ｂには隙間遮断部材の基部（本体１２ａ）が連結されている。
【００３１】
コイルバネ１３の一端１３ａは、縦溝１１ａ内の奥方部に固定すればよい。本実施形態では、縦溝１１ａの底部１１ａａに、それよりさらに深く横方向に掘り込まれた支持凹所１４が形成されており、コイルバネ１３は、その一端１３ａが支持凹所１４の底面部１４ａに固定されて収容されている。つまり、この支持凹所１４は、コイルバネ１３を収容することで、コイルバネ１３を水平状態に保持しながら伸縮動作をガイド支持するガイド部を構成している。なお、このようなガイド部を設けずに、コイルバネ１３を横方向に配するのに十分な深さの縦溝１１ａを形成して、コイルバネ１３の一端１３ａをその縦溝１１ａの底部１１ａａで固定するようにしてもよい。
【００３２】
本実施形態および後述する実施形態で使用されるコイルバネ１３は、押された力に対して、復帰しようとする弾性力が作用する圧縮コイルバネで構成されており、複数のコイルバネ１３によって、それらの先端（他端１３ｂ）に連結した隙間遮断部材１２を弾性支持している。
【００３３】
また、コイルバネ１３の伸縮動作がスムーズにできるように、支持凹所１４の開口と隙間遮断部材１２の基部との間にはバネ移動代空間１７が形成されている。
【００３４】
そして、このコイルバネ１３を装着した中方立て１０は、引き戸６の設置前の状態ではコイルバネ１３が復帰しているため、隙間遮断部材１２が最長突出位置まで突出しており（図２参照）、一方、引き戸６を設置した後の状態では、隙間遮断部材１２はコイルバネ１３の弾性力を受けて引き戸６の戸板面に当接するまで突出している（図１参照）。
【００３５】
すなわち、引き戸６を引き戸枠１内に設置すれば、コイルバネ１３の弾性力によって隙間遮断部材１２は付勢されて、中方立て１０の軟質繊維材１２ｂは引き戸６の戸板面に常時弾接される。したがって、このような常時弾接効果によって、中方立て１０と引き戸６との隙間を常時、確実に塞ぐことができ、また軟質繊維材１２ｂが常時弾接しているため、引き戸の走行時のがたつきも防止できる。
【００３６】
また、隙間遮断部材１２は、コイルバネ１３の弾性力によって突出して隙間を埋め合わせするので、従来のような調整具等の手操作による隙間遮断部材１２の突出具合の調整は不要となる。よって、現場作業の手間を大幅に削減できる。さらに、中方立て１０に従来使用していた調整具を組み込む必要がないので、中方立ての製造コストも削減できる。
【００３７】
さらに、本実施形態の中方立て１０は、縦溝１１ａの奥方部にコイルバネ１３を収容する支持凹所１４を備えているから、それらの支持凹所１４によってコイルバネ１３の水平伸縮動作を安定支持させることができる。
【００３８】
ついで、第２実施形態について説明する。図３は同実施形態の中方立ての概略縦断面図である。なお、同実施形態では、引き戸を設置する前の中方立ての概略縦断面図については図示を省略している。
【００３９】
この中方立て１０は、引き戸６をスライド可能に保持する引き戸枠１の中間部に立設され、引き戸６側の側部の中央に上下に走る縦溝１１ａを形成して、そこに隙間遮断部材１２を装着してなる。なお、引き戸枠１全体の構成については、説明を省略する（図６〜図８参照）。
【００４０】
この隙間遮断部材１２は、基部を構成し、縦溝１１ａ内に配される本体１２ａと、この本体１２ａの引き戸６側の側部に付設されるモヘア等の軟質繊維材１２ｂとより構成されており、軟質繊維材１２ｂは縦溝１１ａの開口よりも引き戸６側に突出している。この軟質繊維材１２ｂの先端は、第１実施形態と同様に、横断面山形に形成されていることが望ましい。
【００４１】
また、縦溝１１ａには、上部、中部、下部の３箇所に、隙間遮断部材を弾性支持する弾性支持具として、一端１３ａを縦溝１１ａ内に固定したコイルバネ１３が配され、そのコイルバネ１３の他端１３ｂには隙間遮断部材１２の基部（本体１２ａ）が連結されている。
【００４２】
より具体的には、コイルバネ１３の一端１３ａが縦溝１１ａの底部１１ａａに固定されているとともに、同様に縦溝１１ａの底部１１ａａに固定され、縦溝１１ａの開口方向に突出した支持棒１５がガイド部として形成されており、その支持棒１５がコイルバネ１３に内挿されて、コイルバネ１３の水平状態を保持しながら伸縮動作をガイド支持している。
【００４３】
この支持棒１５は、縦溝１１ａの底部１１ａａに固定するために、基端側にネジ部（あるいは尖鋭な差込部等）を備えた固定部１５ａを備えており、そのネジ部を縦溝１１ａの底部１１ａａに螺着して固定できるようになっている。また、コイルバネ１３は、その一端１３ａを予め支持棒１５の基端に固定しておけば、コイルバネ１３の縦溝１１ａへの固定が簡易に行える。また、コイルバネ１３を予め固着させた支持棒１５をより簡易に螺着できるように、支持棒１５の先端にネジ頭を形成させてもよい。
【００４４】
また、支持棒１５の先端は自由端となっており、その自由端と隙間遮断部材１２の基部との間には、コイルバネ１３が伸縮できるようにバネ移動代空間１７が形成されている。
【００４５】
このように固定されたコイルバネ１３は、その先端（他端１３ｂ）に連結した隙間遮断部材１２を弾性支持する構成となっている。そして、このコイルバネ１３を装着した中方立て１０は、引き戸６の設置前の状態ではコイルバネ１３が復帰しているため、隙間遮断部材１２が最長突出位置まで突出しており、一方、引き戸６を設置した後の状態では、隙間遮断部材１２がコイルバネ１３の弾性力を受けて引き戸６側に当接するまで突出している（図３参照）。
【００４６】
なお、コイルバネ１３による中方立て１０の隙間遮断部材１２の引き戸６に対する常時弾接効果は、第１実施形態と同様であるため、詳細な説明を省略する。
【００４７】
また、本実施形態の中方立て１０は、支持棒１５を備えているのでコイルバネ１３の水平伸縮動作をガイド支持でき、さらに支持棒１５は固定部１５ａを備えているから縦溝１１ａへの取付、固定も簡易に行える。
【００４８】
つぎに、第３実施形態について説明する。図４および図５は同実施形態の説明図であり、図４（ａ）は引き戸枠に引き戸を設置する前の状態における中方立ての概略部分縦断面図、図４（ｂ）は同概略横断面図である。また図５（ａ）、（ｂ）は、第３実施形態に示した中方立ての概略横断面図であり、引き戸枠に引き戸を設置した後の状態における設置条件の異なる２例を示している。なお、図４および図５は、第１、第２実施形態の説明図とは異なり、要部を拡大したものを示している。
【００４９】
この中方立て１０は、引き戸６をスライド可能に保持する引き戸枠１の中間部に立設され、引き戸６側の側部の中央に上下に走る縦溝１１ａを形成して、そこに隙間遮断部材１２を装着してなる。なお、引き戸枠１全体の構成については、説明を省略する（図６〜図８参照）。
【００５０】
この隙間遮断部材１２は、基部を構成し、縦溝１１ａ内に配される本体１２ａと、この本体１２ａの引き戸６側の側部に付設されるモヘア等の軟質繊維材１２ｂとより構成されており、軟質繊維材１２ｂは縦溝１１ａの開口よりも引き戸６側に突出している。この軟質繊維材１２ｂの先端は、図４（ｂ）に示すように、横断面山形に形成されている。つまり、軟質繊維材１２ｂは、引き戸６の戸板面に対して傾斜した２つの走行ガイド面１２ｂａ、１２ｂａが形成されている。
【００５１】
また、縦溝１１ａには、上部、中部、下部の３箇所に、弾性支持具として、一端１３ａを縦溝１１ａ内に固定したコイルバネ１３が配され、そのコイルバネ１３の他端１３ｂには隙間遮断部材１２の基部（本体１２ａ）が連結されている。
【００５２】
本実施形態に示した中方立て１０は、コイルバネ１３をガイド支持するガイド部として、第１実施形態に採用されている支持凹所１４と、第２実施形態に採用されている支持棒１５の両方を備えている。
【００５３】
すなわち、コイルバネ１３は、縦溝１１ａの底部１１ａａに掘り込み形成された支持凹所１４に、一端１３ａを支持凹所１４の底面部１４ａに固定して収容されているとともに、支持凹所１４の底面部１４ａに固定した支持棒１５に内挿されている。そして、この支持凹所１４および支持棒１５が、コイルバネ１３の水平状態を保持しながら伸縮動作をガイド支持している。
【００５４】
この支持棒１５は、支持凹所１４の底面部１４ａに固定するために、基端側にネジ部（あるいは尖鋭な差込部等）よりなる固定部１５ａを備えており、その固定部１５ａを支持凹所１４の底面部１４ａに差し込んで固定できるようになっている。また、コイルバネ１３は、予め支持棒１５の基端に固定しておけば、縦溝１１ａへの固定が簡易に行える。
【００５５】
また、図例では支持棒１５の全体（全長）が支持凹所１４に収容されているが、先端が支持凹所１４の開口より突出する構成であってもよい。いずれであっても、隙間遮断部材１２の本体１２ａと、支持凹所１４の開口および支持棒１５の先端との間にバネ移動代空間１７が形成されていればよい。
【００５６】
またさらに、隙間遮断部材１２の基部には、支持凹所１４の内周にスライド自在に嵌入されるバネガイド片１６が固着されている。
【００５７】
このバネガイド片１６は、横断面コ字形状であり、その基部片１６ａが隙間遮断部材１２の基部（本体１２ａ）とコイルバネ１３の先端との間に介在され、隙間遮断部材１２と一体となって水平動作ができるように、隙間遮断部材１２とコイルバネ１３とに連結されている。一方、バネガイド片１６のスライド片１６ｂは、支持凹所１４の内周に沿って水平に摺動できる高さ、幅寸法に形成されている。なお、バネガイド片１６は縦断面コ字形状であってもよい。
【００５８】
このように、本実施形態の中方立て１０は、支持凹所１４と支持棒１５でコイルバネ１３の伸縮動作をガイド支持する構造であるため、コイルバネ１３に適切で安定した水平動作をさせることができる。さらに、中方立て１０はバネガイド片１６を有して、コイルバネ１３の先端を支持できる構造となっているため、コイルバネ１３の伸張時にコイルバネ１３の先端がバネ移動代空間１７において垂れ下がることを防止でき、それによって隙間遮断部材１２の垂れ下がりを防止できる。
【００５９】
なお、バネガイド片１６は上記形状に限られず、円筒等の筒形状でもよく、少なくとも支持凹所１４の内周に沿って、上下にぐらつくことなくスライドできる形状であればよい。また、上記のバネガイド片１６は、コイルバネ１３の先端に結合し、隙間遮断部材１２の基部に固着される基部片１６ａを備えているが、基部片１６ａを有さないスライド片、左右片、あるいは筒体であってもよい。
【００６０】
このように支持凹所１４、支持棒１５およびバネガイド片１６で支持されたコイルバネ１３は、バネガイド片１６の基部片１６ａを介して先端（他端１３ｂ）に連結した隙間遮断部材１２を弾性支持しており、このコイルバネ１３を装着した中方立て１０は、引き戸６の設置前の状態ではコイルバネ１３が復帰しているため、隙間遮断部材１２が最長突出位置まで突出しており（図４参照）、一方、引き戸６を設置した後の状態では、隙間遮断部材１２がコイルバネ１３の弾性力を受けて引き戸６側に当接する位置まで突出している（図５参照）。
【００６１】
本実施形態では、設置条件によって中方立て１０と引き戸６との間隔Ｄが異なる２例を、図５（ａ）、図５（ｂ）に示しているが、隙間遮断部材１２はコイルバネ１３の弾性力によって突出する構成であるため、これら２つの図例に示すように、設置条件によって中方立て１０と引き戸６との間隔が異なっていても、軟質繊維材１２ｂは引き戸６の戸板面に対して同等に当接させることができる。
【００６２】
また、軟質繊維材１２ｂの先端が横断面山形に形成され、両側に走行ガイド面１２ｂａが形成されているので、引き戸６との接触面積を小さくすることができ、それによって軟質繊維材と引き戸の戸板面との摩擦抵抗を小さくでき、引き戸の走行性をよくできる。さらに、先端が横断面山形であるため、引き戸６に接触する２つの１２ｂａが形成され、走行の向きが変わるごとに走行ガイド面１２ｂａが入れ替わる。つまり、走行の向きごとに一方面ずつしか使用されないため、軟質繊維材１２ｂの劣化を遅らすことができる。
【００６３】
なお、コイルバネ１３による中方立て１０の隙間遮断部材１２の引き戸６に対する常時弾接効果は、第１実施形態と同様であるため、詳細な説明を省略する。
【００６４】
また、本実施形態では、支持凹所１４、支持棒１５およびバネガイド片１６を備えた構造であるが、支持棒１５を有さず、支持凹所１４とバネガイド片だけでコイルバネ１３をガイド支持する構成であってもよい。
【００６５】
以上の３つの実施形態では、いずれも弾性支持具としてコイルバネ１３を採用した中方立て１０を示したが、コイルバネ１３に代えて、スポンジ、ゴム、ベローズ等の弾性体を使用してもよい。特に、支持凹所１４や支持棒１５を備えない構造の中方立て１０では、スポンジやゴムが好適に使用できる。
【符号の説明】
【００６６】
１      引き戸枠
６      引き戸
１０      中方立て
１１      中方立て本体
１１ａ      縦溝
１１ａａ      底部
１２      隙間遮断部材
１２ａ      本体（基部）
１２ｂ      軟質繊維材
１２ｂａ      走行ガイド面
１３      コイルバネ（弾性支持具）
１３ａ      一端
１３ｂ      他端（先端）
１４      支持凹所
１４ａ      底面部
１５      支持棒
１５ａ      固定部
１６      バネガイド片
１７      バネ移動代空間
【図１】
2010270561.tif 000003
【図２】
2010270561.tif 000004
【図３】
2010270561.tif 000005
【図４】
2010270561.tif 000006
【図５】
2010270561.tif 000007
【図６】
2010270561.tif 000008
【図７】
2010270561.tif 000009
【図８】
2010270561.tif 000010